(57)【要約】【課題】従来の風呂残り湯利用装置では、風呂残り湯利用装置（注水ユニット）と風呂釜（給湯器）と、それぞれ独立した装置で別設置する必要があり工事が大変であった。また、リモコンも風呂残り湯利用装置用と風呂釜用と別々にあり割高であると同時に用途が限定されるという課題を有していた。【解決手段】浴槽水戻り接続口１と、浴槽水循環用ポンプ２と、浴槽水循環流量検知装置３と、浴槽水加熱装置４と、浴槽水往き接続口５と、これらを結び浴槽水を循環させる通路を形成する浴槽水循環回路６と、浴槽水循環回路６の一部を分岐し残り湯を外部に搬送する搬送通路８と、浴槽水循環回路６の分岐部に三方弁９を設け、これらをひとつのケース１０に収めることにより、工事性を改善し、追いだきスイッチと残り湯搬送スイッチとを備えたリモコン１１にすることにより、使用勝手が向上する。【選択図】図１
2006071220.tif 000002
【特許請求の範囲】
【請求項１】
浴槽水戻り接続口と、浴槽水循環用ポンプと、浴槽水循環流量検知装置と、浴槽水加熱装置と、浴槽水往き接続口と、これらを結び浴槽水を循環させる通路を形成する浴槽水循環回路と、リモコンの信号を受け前記浴槽水循環用ポンプおよび前記浴槽水加熱装置の運転を制御する制御手段と、前記浴槽水循環回路の一部を分岐し残り湯を外部に搬送する搬送通路と、前記浴槽水循環回路の分岐部に三方弁を設け、これらをひとつのケースに収め、追いだきスイッチと残り湯搬送スイッチとを備えたリモコンと、リモコン操作に連動し前記三方弁を駆動させ前記浴槽水循環回路または前記搬送通路に切替できるようにした風呂残り湯利用装置付風呂釜。
【請求項２】
リモコンを無線式にした請求項１記載の風呂残り湯利用装置付風呂釜。
【請求項３】
残り湯搬送スイッチ「入」状態でかつ浴槽水循環流量検知装置で流量を検出した時のみ三方弁を搬送通路に切替るようにした請求項１記載の風呂残り湯利用装置付風呂釜。
【請求項４】
残り湯搬送スイッチ「入」の信号を受け、浴槽水循環用ポンプを運転し、一定時間以上浴槽水循環流量検知装置からのＯＮ信号がない場合には前記浴槽水循環用ポンプを停止するようにした請求項１記載の風呂残り湯利用装置付風呂釜。
【請求項５】
各部品の接続を浴槽水戻り接続口から浴槽水循環用ポンプ、浴槽水循環流量検知装置、浴槽水加熱装置、浴槽水往き接続口とし、三方弁と搬送通路を浴槽水循環用ポンプと浴槽水循環流量検知装置との間に設けた請求項１記載の風呂残り湯利用装置付風呂釜。
【発明の詳細な説明】
【技術分野】
【０００１】
本発明は、風呂の残り湯を有効に利用する風呂残り湯利用装置付風呂釜に関するものである。
【背景技術】
【０００２】
従来この種の風呂残り湯利用装置は、風呂残り湯利用装置と風呂釜と、それぞれ独立した装置で別設置させている。リモコンも風呂残り湯利用装置用と風呂釜用と別々のリモコンになっている（例えば、特許文献１参照）。図３は特許文献１に記載された従来の風呂残り湯利用装置を示すものである。図３に示すように、給湯器３１と浴槽３２とが、戻り側の追い炊き配管３３Ａと往き側の追い炊き配管３３Ｂとからなる循環経路３３によって接続されており、この循環経路３３の途中に、その上流から下流に向かって、順に追い炊き用のポンプ３４、ヒータ５０、注水ユニット３９が接続されている。ポンプ３４の上流は浴槽３２の吸込口４０に接続され、注水ユニット３９の下流は浴槽３２の吐出口４１に接続されている。注水ユニット３９は、浴槽３２の残り湯  を洗濯機３５へ分配するための三方弁３６と、残り湯  の濁度を測定する濁度センサ３７とを備えている。
【０００３】
上記追い炊き用のポンプ３４及びヒータ５０は給湯器３１に内蔵され、注水ユニット３９は給湯器３１の外部に設置されている。
【特許文献１】特開２００２−９５８８７号公報（第３図）
【発明の開示】
【発明が解決しようとする課題】
【０００４】
しかしながら、前記従来の風呂残り湯利用装置は、風呂残り湯利用装置（注水ユニット）と風呂釜（給湯器）と、それぞれ独立した装置で別設置する必要があり工事が大変であった。また、リモコンも風呂残り湯利用装置用と風呂釜用と別々にあり割高であると同時に用途が限定されるという課題を有していた。
【０００５】
本発明は前記従来の課題を解決するもので、工事を簡単にかつ、安価で使用勝手の良い商品を提供することを目的とする。
【課題を解決するための手段】
【０００６】
前記従来の課題を解決するために本発明の風呂残り湯利用装置付風呂釜は、浴槽水戻り接続口と、浴槽水循環用ポンプと、浴槽水循環流量検知装置と、浴槽水加熱装置と、浴槽水往き接続口と、これらを結び浴槽水を循環させる通路を形成する浴槽水循環回路と、リモコンの信号を受け前記浴槽水循環用ポンプおよび前記浴槽水加熱装置の運転を制御する制御手段と、浴槽水循環回路の一部を分岐し残り湯を外部に搬送する搬送通路と、前記浴槽水循環回路の分岐部に三方弁を設け、これらをひとつのケースに収め、追いだきスイッチと残り湯搬送スイッチとを備えたリモコンとを備えたものである。
【０００７】
これによって、風呂残り湯利用装置（注水ユニット）と風呂釜（給湯器）とがすでに１つのケースに組み立てられており、工事が大変であるという課題を改善できるものである。
【発明の効果】
【０００８】
本発明の風呂残り湯利用装置付風呂釜は、風呂残り湯利用装置と風呂釜とを一体化することにより、工事性を改善することができる。
【発明を実施するための最良の形態】
【０００９】
第１の発明は、浴槽水戻り接続口と、浴槽水循環用ポンプと、浴槽水循環流量検知装置と、浴槽水加熱装置と、浴槽水往き接続口と、これらを結び浴槽水を循環させる通路を形成する浴槽水循環回路と、リモコンの信号を受け前記浴槽水循環用ポンプおよび前記浴槽水加熱装置の運転を制御する制御手段と、浴槽水循環回路の一部を分岐し残り湯を外部に搬送する搬送通路と、前記浴槽水循環回路の分岐部に三方弁を設け、これらをひとつのケースに収め、追いだきスイッチと残り湯搬送スイッチとを備えたリモコンと、リモコン操作に連動し前記三方弁を駆動させ浴槽水循環回路または搬送通路に切替できるようにした風呂残り湯利用装置付風呂釜であり、工事性を改善することができる。
【００１０】
第２の発明は、第１の発明のリモコンを無線式にしたものであり、残り湯を使用する場所でスイッチ操作ができ、洗濯機だけでなく洗車や植木の水やりなどいろいろな用途に使用できる。
【００１１】
第３の発明は、第１の発明において、残り湯搬送スイッチ「入」状態でかつ浴槽水循環流量検知装置が流量を検出した時のみ三方弁を搬送通路に切替ることで浴槽水をむだに流出することを防止することが可能となる。
【００１２】
第４の発明は、第１の発明の浴槽水循環用ポンプを、残り湯搬送スイッチ「入」の信号を受け一定時間以上浴槽水循環流量検知装置からのＯＮ信号がない場合には停止することで浴槽水循環用ポンプの殻運転を防止することが可能となる。
【００１３】
第５の発明は、第１の発明の各部品の接続を、浴槽水戻り接続口から浴槽水循環用ポンプ、浴槽水循環流量検知装置、浴槽水加熱装置、浴槽水往き接続口とし、三方弁と搬送通路を浴槽水循環用ポンプと浴槽水循環流量検知装置との間に設けることで、風呂残り湯利用時には浴槽水循環流量検知装置に水が流れず、空焚き防止することが可能となる。
【００１４】
以下、本発明の実施の形態について図面を参照しながら説明する。
【００１５】
なお、本実施の形態によって本発明が限定されるものではない。
【００１６】
（実施の形態１）
図１は本発明の第１の形態における風呂残り湯利用装置付風呂釜の構造図を示すものである。
【００１７】
図１において、浴槽水戻り接続口１と、浴槽水循環用ポンプ２と、浴槽水循環流量検知装置３と、浴槽水加熱装置４と、浴槽水往き接続口５と、これらを結び浴槽水を循環させる通路を形成する浴槽水循環回路６と、リモコンの信号を受け前記浴槽水循環用ポンプおよび前記浴槽水加熱装置の運転を制御する制御手段７と、浴槽水循環回路の一部を分岐し残り湯を外部に搬送する搬送通路８と、前記浴槽水循環回路６の分岐部に三方弁９を設け、これらをひとつのケース１０に収め、追いだきスイッチと残り湯搬送スイッチとを備えたリモコン１１と、リモコン操作に連動し前記三方弁９を駆動させ浴槽水循環回路６または搬送通路８に切替できるようにした構成となっている。
【００１８】
以上のように構成された風呂残り湯利用装置付風呂釜について、以下その動作、作用を説明する。
【００１９】
リモコン１１の追いだきスイッチをＯＮすると通常の風呂釜と同様に浴槽水循環回路６が形成され追い炊きされる。リモコン１１の残り湯搬送スイッチをＯＮすると三方弁９が作動し搬送通路８に浴槽の残り湯搬出される。
【００２０】
よって、風呂残り湯利用装置と風呂釜とを一体化することにより、工事性を改善することができる。
【００２１】
（実施の形態２）
図２は本発明の第２の実施の形態における風呂残り湯利用装置付風呂釜の構造図を示すものである。
【００２２】
本実施の形態は、リモコンを無線式にしたものであり風呂釜本体に無線送受信手段２１を取付け、無線式リモコン２２と信号の送信、受信を行う。無線式リモコンには追いだきスイッチと残り湯搬送スイッチがあり、それぞれ使用する場所でスイッチ操作ができる。
リモコンが移動可能になり残り湯を使用する場所でリモコン操作ができ、洗濯機だけでなく洗車や植木の水やりなどいろいろな用途に使用可能になる。
【００２３】
（実施の形態３）
本発明の第３の実施の形態における風呂残り湯利用装置付風呂釜は、実施の形態１において、三方弁９をリモコン１１の残り湯搬送スイッチ「入」状態でかつ浴槽水循環流量検知装置３が流量を検出した時のみ搬送通路８に切替ることで浴槽水をむだに流出することを防止できる。なぜなら、リモコン１１のスイッチが「切」の時に搬送通路８に切替えられていると浴槽が搬送通路８より高い位置にあると水頭圧で浴槽水が流出されるからである。
【００２４】
（実施の形態４）
本発明の第４の実施の形態における風呂残り湯利用装置付風呂釜は、実施の形態１において、浴槽水循環用ポンプ２の運転を、残り湯搬送スイッチ「入」の信号を受け一定時間以上浴槽水循環流量検知装置３からのＯＮ信号がない場合には停止するものである。一定時間以上浴槽水循環流量検知装置３からのＯＮ信号がないのは、残り湯が無くなったことを意味し、浴槽水循環用ポンプ２を継続運転しても水は出てこないし、空運転状態を継続すると浴槽水循環用ポンプ２の故障の原因にもつながる。
【００２５】
（実施の形態５）
図２は本発明の第５の実施の形態における風呂残り湯利用装置付風呂釜の構造図を示すものである。本実施の形態における風呂残り湯利用装置付風呂釜は、各部品の接続を、浴槽水戻り接続口１から浴槽水循環用ポンプ２、浴槽水循環流量検知装置３、浴槽水加熱装置４、浴槽水往き接続口５とし、三方弁９と搬送通路８を浴槽水循環用ポンプ２と浴槽水循環流量検知装置３との間に設ける。三方弁９を浴槽水循環流量検知装置３の上流に位置することにより、風呂残り湯利用時には浴槽水循環流量検知装置３に水が流れず、空焚き安全装置としての役目を浴槽水循環流量検知装置３がはたすため、より高い信頼性で、搬出する残り湯の加熱を防止することができる。
【産業上の利用可能性】
【００２６】
以上のように、本発明にかかる風呂残り湯利用装置付風呂釜は、工事性が改善され、使用勝手が向上することで風呂残り湯の用途が広がり、浴槽水循環用ポンプを搭載した、ガス、石油、電気の給湯風呂装置、給湯暖房機等の用途にも適用できる。
【図面の簡単な説明】
【００２７】
【図１】本発明の実施の形態１、３、４における風呂残り湯利用装置付風呂釜を示す構造図
【図２】本発明の実施の形態２、５における風呂残り湯利用装置付風呂釜を示す構造図
【図３】従来の風呂残り湯利用装置を示す構造図
【符号の説明】
【００２８】
１  浴槽水戻り接続口
２  浴槽水循環用ポンプ
３  浴槽水循環流量検知装置
４  浴槽水加熱装置
５  浴槽水往き接続口
６  浴槽水循環回路
７  制御手段
８  搬送回路
９  三方弁
１０  ケース
１１  リモコン
２１  無線送受信手段
２２  無線リモコン
【図１】
2006071220.tif 000003
【図２】
2006071220.tif 000004
【図３】
2006071220.tif 000005